(57)【特許請求の範囲】
【請求項１】
物体に装着可能な応答器と、応答器を動作させる質問電波の送信及び応答器から送信される応答電波の受信を行う質問器とを具備し、質問電波に保持されている物体の識別データを応答器に書き込むと共に、応答電波に保持されている物体の識別データを質問器で読み取るように作動する移動体通信システムにおいて、質問電波の送信及び応答電波の受信を行なうための質問器アンテナと、質問器の制御を行なうための制御基板と、金属製のアンテナ補強材とをケースに内蔵させると共に、質問器アンテナと制御基板を一体化して上記質問器を形成し、アンテナ補強材を質問器アンテナに接触させると共にアンテナ補強材と質問器アンテナを電気的に接続し、制御基板に設けた熱シールドケースをアンテナ補強材に接触させて成ることを特徴とする移動体通信システム。
【請求項２】
質問器アンテナとしてパッチアンテナを用いて成ることを特徴とする請求項１に記載の移動体通信システム。
【請求項３】
応答器への識別データの書き込み動作や質問器での識別データの読み取り動作を発光することにより表示する発光体を質問器に設けて成ることを特徴とする請求項１又は２に記載の移動体通信システム。
【請求項４】
応答器への識別データの書き込み動作や質問器での識別データの読み取り動作を音により表示するブザー機能を質問器に設けて成ることを特徴とする請求項１乃至３のいずれかに記載の移動体通信システム。
【請求項５】
応答器に書き込まれる識別データや質問器で読み取られた識別データを表示するための表示画面を質問器に設けて成ることを特徴とする請求項１乃至４のいずれかに記載の移動体通信システム。
【発明の詳細な説明】
【０００１】
【発明の属する技術分野】
本発明は、物や人などの物体を識別するための移動体通信システムに関するものである。
【０００２】
【従来の技術】
従来より、物体の種類などの情報を非接触で取得し、物体を識別する移動体通信システムが提案されており、この中でも応答器１に電源の必要のない非接触ＩＤタグシステムが汎用されている。非接触ＩＤタグシステムは、ＩＤタグと称される応答器１とＲ／Ｗと称される質問器２で構成されるものであって、例えば、応答器１を移動する物体に取り付けると共に質問器２を固定して配置し、応答器１と質問器２の間で電波による簡易的な通信を行うものである。
【０００３】
図６に応答器１と質問器２の構成のブロック図を示す。応答器１の応答器アンテナ３０は質問器２から送信される質問電波を応答器１に取り込む機能、及び応答器１から応答電波を質問器２に送信する機能を有するものである。変復調器３１は質問電波から電力、クロック、質問データなどを取り出して制御部３２やメモリ３３に供給する機能、及び制御部３２からの応答データに応じて搬送波を振幅変調し、これを応答器アンテナ３０に供給して反射波として質問器２に返送する機能を有するものである。制御部３２は質問器２からの質問データに応じて応答器１の動作の内部制御を行うものであって、制御の内容はメモリに保持されている識別データの読み出し、メモリ３３への識別データを書き込み、及びこれらの動作に関連するその他の制御などである。メモリ３３は不揮発性メモリであって、ＩＤデータなどの物体の固有の識別データを保持するものである。
【０００４】
質問器２のシンセサイザ３４は搬送波を発生させるものである。変調器３５は質問データ及びクロックに応じて搬送波に振幅変調をかけるものである。送信アンプ３６は変調された搬送波を増幅するものである。サーキュレータ３７は質問器アンテナ３８で受信された受信電波を分配器３９に送る機能、及び送信アンプ３６から送られてくる搬送波を質問器アンテナ３８に送る機能を有するものであって、電波の送信と受信を一個の質問器アンテナ３８で行うための分配合成器である。質問器アンテナ３８はサーキュレータ３７から送られてくる搬送波を質問電波として応答器１に送信する機能、及び応答器１から送られてくる応答電波を質問器２に取り込む機能を有するものである。分配器３９は二つの受信系４１、４２に受信した応答電波を分配するものである。位相シフタ４０は一方の受信系４１に供給される応答電波の位相を他方の受信系４２に供給される応答電波の位相に比べて９０°ずらす（シフトさせる）機能を有するものである。
【０００５】
質問器２の一方の受信系４１はミキサ４３とフィルタ４４と受信アンプ４５を用いた受信回路であって、他方の受信系４２はミキサ４６とフィルタ４７と受信アンプ４８を用いた受信回路である。ミキサ４３、４６は搬送波と応答電波を混合してその差分を出力することで、応答電波から応答データを復調するものである。フィルタ４４、４７はミキサ４３、４６で復調された応答データ（復調波）から不要成分を除去するためのものである。受信アンプ４５、４８は応答データ（復調波）をデジタル信号に変換するなどの処理を行いやすいレベルにまで増幅するものである。合成アンプ４９は二系統の受信系４１、４２から出力される応答データを合成し、アナログ信号で応答データを出力するものである。レベル変換器５０は合成アンプ４９からのアナログ信号をデジタル信号に変換して出力するものである。
【０００６】
そしてこのような移動体通信システムを用いて物体を識別するにあたっては、まずシンセサイザ３４で発生させた搬送波と質問データと動作の基準となるクロックを変調器３５に供給し、電力と質問データ及びクロックに応じて搬送波に振幅変調をかける。次に変調された搬送波は送信アンプ３６で増幅された後、サーキュレータ３７を通って質問器アンテナ３８に供給される。質問器アンテナ３８に供給された搬送波は質問電波として送出される。
【０００７】
質問電波は質問器アンテナ３８の電界エリア内にある応答器１に応答器アンテナ３０から取り込まれ、取り込まれた質問電波は変復調器３１で搬送波と電力とクロックと質問データのそれぞれに復調される。ここで復調された電力は制御部３２及びメモリ３３の動作電源としてそれぞれに供給される。また制御部３２の読み込みや書き込みなどの動作のタイミングとなるクロック及び質問データは制御部３２に供給される。次に制御部３２で質問データを解析し、この解析結果に基づいて制御部３２を動作させて必要な識別データをメモリ３３から読み取る。次に読み取られた識別データ及びその他のデータが応答データとして制御部３２から変復調器３１に送られ、ここで質問器２から送られてきた搬送波を応答データに応じて変調する。この後、変調された搬送波は応答器アンテナ３０に供給されてここから応答電波として送出される。
【０００８】
応答電波は質問器２の質問器アンテナ３８で受信されて質問器２に取り込まれる。取り込まれた応答電波はサーキュレータ３７を通って分配器３９に送られる。この分配器３９で応答電波は二分され、その一方は位相シフタ４０を介して一方の受信系４１に、二分された応答電波の他方は直接もう一方の受信系４２に供給される。一方の応答電波は位相シフタ４０により位相がずらされ、他方の応答電波に比べて９０°位相がずれた状態で受信系４１に入力される。また他方の応答電波は受信された時の位相の状態で受信系４２に入力される。この後、受信系４１に入力された応答電波はシンセサイザ３４において発生させた搬送波とミキサ４３で混合される。この混合により生じる差分が識別データを含む応答データであり、このようにして応答データのみが復調される。次に復調された応答データはフィルタ４４に送られ、フィルタ４４で応答データに含まれる不要波などの不要成分が除去された後、受信アンプ４５に送られて扱いやすいレベルにまで増幅され、この後、合成アンプ４９に供給される。また受信系４２に入力された応答電波は上記と同様にミキサ４６で応答データが復調されてこの応答データのみがフィルタ４７に送られ、フィルタ４７で不要成分が除去された後、受信アンプ４８で増幅されて合成アンプ４９に供給される。
【０００９】
上記のように応答電波は質問電波から取り出した搬送波を再び用いて応答器１で生成されている。そのために応答電波の受信時における応答器１と質問器２の位置の関係で、応答電波の搬送波の位相とシンセサイザ３４から送られてくる搬送波の位相が１８０°異なる場合があり、この状態では応答電波から応答データを復調することができない。そこで上記のように応答電波を二分し、一方の応答電波を位相シフタ４０で位相を９０°ずらしてシフトさせてから一方の受信系４１に入力し、他方の応答電波は位相をずらさないまま他方の受信系４２に入力することによって、二つの受信系４１、４２のそれぞれで位相の異なる応答電波を独立して処理することができ、一方の受信系４１（あるいは４２）において、応答電波の搬送波の位相とシンセサイザ３４から送られてくる搬送波の位相が１８０°異なっていて応答データを取得することができなくても、他方の受信系４２（あるいは４１）では応答電波の搬送波の位相とシンセサイザ３４から送られてくる搬送波の位相が９０°異なることになり、応答データを確実に安定して取得することができる。
【００１０】
受信系４１と４２のそれぞれから出力された応答データは合成アンプ４９で合成され、ここで安定したアナログ信号の応答データが生成され、この応答データがレベル変換器５０でデジタル信号に変換されることによって、識別データを含む応答データが得られる。そしてこのようにして得られる応答データの識別データやその他のデータにより、応答器１が装着された物体の種類等の情報が得られ、物体を識別することができるのである。
【００１１】
またこの移動体通信システムにおいて、応答器１に物体の識別データを書き込むにあたっては、次のようにして行う。まずシンセサイザ３４で発生させた搬送波と識別データを含む質問データと動作の基準となるクロックを変調器３５に供給し、電力と質問データ及びクロックに応じて搬送波に振幅変調をかける。次に変調された搬送波は送信アンプ３６で増幅された後、サーキュレータ３７を通って質問器アンテナ３８に供給される。質問器アンテナ３８に供給された搬送波は質問電波として送出される。
【００１２】
質問電波は質問器アンテナ３８の電界エリア内にある応答器１に応答器アンテナ３０から取り込まれ、取り込まれた質問電波は変復調器３１で搬送波と電力とクロックと質問データのそれぞれに復調される。ここで復調された電力は制御部３２及びメモリ３３の動作電源としてそれぞれに供給される。また制御部３２の読み込みや書き込みなどの動作のタイミングとなるクロック及び質問データは制御部３２に供給される。次に制御部３２で質問データを解析し、この解析結果に基づいて制御部３２を動作させて質問データに含まれる識別データをメモリ３３に書き込む。このようにして応答器１が装着される物体の種類等の情報を応答器１に書き込んで保持させることができる。
【００１３】
このように上記の移動体通信システムは、応答器１単独あるいは応答器１が装着された物体が質問器２の電界エリア（サービスエリア）内に入ってくると、応答器１と質問器２の間で電波を用いて情報（データ）のやり取りを行い、応答器１に予め書き込まれて保持されている識別データを質問器２で読み取ることによって、物体の識別を行なうようにし、また応答器１に物体の識別データを書き込むようにするものである。しかも応答器１が自身を動作させる電源を持たないものであって、質問器２から送信される質問電波を用いて電力を応答器１に伝送し、この電力で応答器１を動作させるようにしている。
【００１４】
図７（ａ）（ｂ）に従来から用いられている質問器２を示す。この質問器２はそれぞれ別々に形成される質問器本体２０とアンテナ体２１とで構成されている。質問器本体２０は、金属製の本体ケース２２の内部に制御基板６０と制御基板６０で生じる熱を放熱するための放熱板６１を内蔵させて形成されている。制御基板６０には上記のシンセサイザ３４や変調器３５など、質問器アンテナ３８以外を構成する送受信回路や、質問器２全体の動作を制御するための制御回路や、電源回路などが形成されている。またアンテナ体２１は、プラスチック製のアンテナケース２３に板状の質問器アンテナ３８と質問器アンテナ３８のグランドとなる金属板６２を内蔵させて形成されている。そして質問器アンテナ３８と制御基板６０の上記回路を同軸ケーブルなどの接続ケーブル６３で電気的に接続することによって、質問器２が形成されている。
【００１５】
【発明が解決しようとする課題】
しかし上記の移動体通信システムでは、金属製の本体ケース２２に制御基板６０を内蔵させた質問器本体２０と、プラスチック製のアンテナケース２３に質問器アンテナ３８を内蔵させたアンテナ体２１とをそれぞれ別体に形成したので、質問器２が大型化すると共に質問器本体２０とアンテナ体２１をひとつにまとめにくくて携帯しにくくなり、しかも制御基板６０を内蔵する金属製の本体ケース２２と質問器アンテナ３８を内蔵する樹脂製のアンテナケース２３の両方を用いることによって質問器２の重量が大きくなり、質問器２の携帯性や使用性（取扱性）が低いという問題があった。
【００１６】
本発明は上記の点に鑑みてなされたものであり、質問器の携帯性や使用性を高くすることができる移動体通信システムを提供することを目的とするものである。
【００１７】
【課題を解決するための手段】
本発明の請求項１に記載の移動体通信システムは、物体に装着可能な応答器１と、応答器１を動作させる質問電波の送信及び応答器１から送信される応答電波の受信を行う質問器２とを具備し、質問電波に保持されている物体の識別データを応答器１に書き込むと共に、応答電波に保持されている物体の識別データを質問器２で読み取るように作動する移動体通信システムにおいて、質問電波の送信及び応答電波の受信を行なうための質問器アンテナ３８と、質問器２の制御を行なうための制御基板６０とをケース６５に内蔵させると共に、質問器アンテナ３８と制御基板６０を一体化して上記質問器２を形成して成ることを特徴とするものである。
また本発明の請求項１に記載の移動体通信システムは、金属製のアンテナ補強材６６をケース６５に内蔵させ、アンテナ補強材６６を質問器アンテナ３８に接触させると共にアンテナ補強材６６と質問器アンテナ３８を電気的に接続し、制御基板６０に設けた熱シールドケース６７をアンテナ補強材６６に接触させて成ることを特徴とするものである。
【００１８】
また本発明の請求項２に記載の移動体通信システムは、請求項１の構成に加えて、質問器アンテナ３８としてパッチアンテナ１０を用いて成ることを特徴とするものである。
【００２０】
また本発明の請求項３に記載の移動体通信システムは、請求項１又は２の構成に加えて、応答器１への識別データの書き込み動作や質問器２での識別データの読み取り動作を発光することにより表示する発光体６８を質問器２に設けて成ることを特徴とするものである。
【００２１】
また本発明の請求項４に記載の移動体通信システムは、請求項１乃至３のいずれかの構成に加えて、応答器１への識別データの書き込み動作や質問器２での識別データの読み取り動作を音により表示するブザー機能６９を質問器２に設けて成ることを特徴とするものである。
【００２２】
また本発明の請求項５に記載の移動体通信システムは、請求項１乃至４のいずれかの構成に加えて、応答器１に書き込まれる識別データや質問器２で読み取られた識別データを表示するための表示画面９０を質問器２に設けて成ることを特徴とするものである。
【００２３】
【発明の実施の形態】
以下、本発明の実施の形態を説明する。
【００２４】
応答器１はラベル（タグ）のような外観を呈するものであって、合成樹脂等の短冊状の薄い二枚のフィルム材の間にＩＣチップと回路パターンを挟み込んで形成されている。応答器１の外面には物体の表面に貼り付けて装着しやすいように粘着層などを設けてシールのように形成するのが好ましい。ＩＣチップは上記の変復調器３１と制御部３２とメモリ３３の機能を有するものであり、また回路パターンはＩＣチップに電気的に接続されるものであって、銅箔などの金属箔や銀ペーストの印刷などで形成されており、上記の応答器アンテナ３０の機能を有するものである。
【００２５】
質問器２は図１に示すように、プラスチックなどの絶縁材料製のケース６５に質問器アンテナ３８とアンテナ補強材（補強シャーシ）６６と制御基板６０と放熱板６１を内蔵させて形成されている。ケース６５は、プラスチック製の上ケースと７０と下ケース７１とで構成されており、上ケース７０の下面及び下ケース７１の上面はそれぞれ開口されている。上ケース７０の内面には螺着部７２が下側に向けて突設されており、螺着部７２には上下に長い雌ねじが凹設されている。また下ケース７１の内面にはねじ挿入部７３が上側に向けて突設されており、ねじ挿入部７３にはその上端から下ケース７１の下面にまで至る挿入孔７４が形成されている。
【００２６】
質問器アンテナ３８としては、従来からアンテナとして用いられている各種のものを使用することができるが、図２のようなパッチアンテナ１０に形成するのが好ましい。このパッチアンテナ１０は基板１１の上面に四つのパッチ１２を設け、各パッチ１２と給電点１３を導体回路１４で接続することによって形成されており、例えば、金属張り積層板の表面の金属箔をエッチング等で処理することによって、金属箔からパッチ１２、給電点１３、導体回路１４を形成してプリント配線板を作製し、このプリント配線板をパッチアンテナ１０として用いるようにしている。このように質問器アンテナ３８としてヘリカルアンテナよりも厚みの薄い板状のパッチアンテナ１０を用いることによって、ヘリカルアンテナを用いるよりも質問器２の厚みを小さくすることができ、小型化や薄型化を図ることができる。
【００２７】
アンテナ補強材６６としては、導電性及び伝熱性が高く、質問器アンテナ３８よりも強度が大きい金属板（例えば、銅板やアルミニウム板や鉄板）を用いることができる。
【００２８】
制御基板６０はプリント配線板などに電気電子部品を搭載して形成されるものであって、上記のシンセサイザ３４、変調器３５、送信アンプ３６、サーキュレータ３７、質問器アンテナ３８、分配器３９、位相シフタ４０、受信系４１及び４２（ミキサ４３及び４６、フィルタ４４及び４７、受信アンプ４５及び４８）、合成アンプ４９、レベル変換器５０を構成する送受信回路や、質問器２全体の動作を制御するための制御回路や、電源回路などが形成されている。また制御基板６０の上面には電源回路などの発熱する部分を覆う熱シールドケース６７が設けられており、他の回路が発熱する部分から放熱による影響を受けないように形成されている。
【００２９】
放熱板６１は伝熱性の高い金属板（例えば、アルミニウム板）などで形成されており、制御基板６０で生じる熱を放熱するものである。
【００３０】
そして質問器２を形成するにあたっては次のようにして行なう。まず、図３に示すように、質問器アンテナ３８、アンテナ補強材６６、制御基板６０、放熱板６１を上からこの順で重ね合わせ、結合螺子７５を用いて結合して一体化する。この時、質問器アンテナ３８の下面とアンテナ補強材６６の上面が接触するように、またアンテナ補強材６６の下面と制御基板６０に設けた熱シールドケース６７の上面が接触するようにし、さらに制御基板６０の下面に放熱板６１を接触させるようにする。またアンテナ補強材６６を質問器アンテナ３８のグランドとして電気的に接続すると共に質問器アンテナ３８と制御基板６０の送受信回路を電気的に接続する。
【００３１】
次に上記のように一体化したものを下ケース７１に入れ、放熱板６１を下ケース７１内の底面に載置すると共にアンテナ補強材６６の端部をねじ挿入部７３の上に載置する。次に上ケース７０を下ケース７１の上に被せて蓋をする。次に挿入孔７４に下側からねじ８０を差し込み、ねじ８０をアンテナ補強材６６に貫通させると共にねじ８０の先端を螺着部７２に螺合する。このようにして上ケース７０と下ケース７１をねじ８０で結合することによって質問器２が形成される。尚、ねじ８０をアンテナ補強材６６に貫通させることによって、質問器アンテナ３８、アンテナ補強材６６、制御基板６０、放熱板６１がケース６５内で移動しないようにすることができる。また螺着部７２とねじ挿入部７３の間でアンテナ補強材６６が上下に挟持されることになって、質問器アンテナ３８、アンテナ補強材６６、制御基板６０、放熱板６１の一体化物を強固に保持することができる。
【００３２】
上記のように本発明は、ひとつのケース６５に質問器アンテナ３８、アンテナ補強材６６、制御基板６０、放熱板６１を全て内蔵させて質問器２を形成したので、質問器２を小型化することができると共に携帯し易くすることができ、しかもプラスチック製のケース６５をひとつだけ用いるために重量が小さくなって軽量化を図ることができ、質問器２の携帯性や使用性を高くすることができる。またアンテナ補強材６６を質問器アンテナ３８に接触させると共にアンテナ補強材６６と質問器アンテナ３８を電気的に接続することによって、アンテナ補強材６６を質問器アンテナ３８のグランドとして利用することができ、また制御基板６０に設けた熱シールドケース６７をアンテナ補強材６６に接触させることによって、熱シールドケース６７に伝導する制御基板６０の熱をアンテナ補強材６６に伝えてアンテナ補強材６６から放熱させることができ、質問器アンテナ３８を補強するためのアンテナ補強材６６を利用して質問器アンテナ３８のグランドと熱シールドケース６７の放熱を行なうことができる。従って、質問器アンテナ３８のグランドのための部材や熱シールドケース６７の放熱のための部材を別途ケース６５に内蔵させる必要がなくなって、質問器２の小型化，薄型化，軽量化を図ることができる。
【００３３】
尚、質問器アンテナ３８の強度が大きくてアンテナ補強材６６が必要ない場合や制御基板６０の発熱が小さくて放熱板６１が必要ない場合は、図４に示すように、質問器アンテナ３８と制御基板６０のみを一体化して下ケース７１（ケース６５）に内蔵させるようにする。
【００３４】
図５に他の実施の形態を示す。この質問器２はその上面に複数個の発光体６８と表示画面９０を埋め込んで設けると共に質問器２の内部にブザー機能６９を設けて形成されている。発光体６８としてはＬＥＤ（発光ダイオード）など用いることができ、発光体６８のうちのひとつは、質問器２の電源が入っているときに発光し、電源が入っていないときに発光しない電源発光体６８ａとして形成されている。また他の発光体６８のひとつは、応答器１へ識別データが書き込まれている時及び質問器２で識別データが読み込まれている時に発光し、応答器１へ識別データが書き込まれていない時及び質問器２で識別データが読み込まれていない時に発光しない読込書込発光体６８ｂとして形成されている。さらに他の発光体６８のひとつは、上記の読み込み及び書き込みが正常に行なわれていない時に発光し、読み込み及び書き込みが正常に行なわれている時に発光しないエラー発光体６８ｃとして形成されている。
【００３５】
このように応答器１や質問器２の状態によって発光したり発光しなかったりして応答器１や質問器２の状態を表示する発光体６８を設けたので、応答器１や質問器２の状態を視覚により容易に確認することができる。
【００３６】
ブザー機構６９は音程や発音回数を制御する制御部やスピーカーなどを備えて形成されるものであって、例えば質問器２の電源を入れた時に音を鳴らしたり、エラーが発生した時に音を鳴らしたりするものである。つまり応答器１や質問器２の状態に変化が生じた際に音を鳴らすように形成されている。そしてこのブザー機能６９は例えば、質問器２の電源を入れた時に鳴らす音とエラーが生じた時に鳴らす音の音程や回数を変えるように設定されている。
【００３７】
このように応答器１や質問器２の状態によって音を鳴らして応答器１や質問器２の状態を表示するブザー機能６９を設けたので、応答器１や質問器２の状態を聴覚により容易に確認することができる。
【００３８】
表示画面９０は液晶画面等を用いて形成されるものであって、応答器１に書き込まれる識別データや質問器２で読み取られた識別データを表示するものである。そしてこのように表示画面９０を設けることによって、識別データの内容の詳細を容易に把握することができる。
【００３９】
【発明の効果】
上記のように本発明の請求項１の発明は、物体に装着可能な応答器と、応答器を動作させる質問電波の送信及び応答器から送信される応答電波の受信を行う質問器とを具備し、質問電波に保持されている物体の識別データを応答器に書き込むと共に、応答電波に保持されている物体の識別データを質問器で読み取るように作動する移動体通信システムにおいて、質問電波の送信及び応答電波の受信を行なうための質問器アンテナと、質問器の制御を行なうための制御基板とをケースに内蔵させると共に、質問器アンテナと制御基板を一体化して上記質問器を形成したので、質問器アンテナと制御基板を別々のケースに収納するよりも質問器を小型化することができると共に携帯し易くすることができ、ケースをひとつだけ用いるために重量が小さくなって軽量化を図ることができ、質問器の携帯性や使用性を高くすることができるものである。
また本発明の請求項１の発明は、金属製のアンテナ補強材をケースに内蔵させ、アンテナ補強材を質問器アンテナに接触させると共にアンテナ補強材と質問器アンテナを電気的に接続し、制御基板に設けた熱シールドケースをアンテナ補強材に接触させたので、アンテナ補強材を質問器アンテナのグランドとして利用することができ、また熱シールドケースに伝導する熱をアンテナ補強材に伝えてアンテナ補強材から放熱させることができ、質問器アンテナを補強するためのアンテナ補強材を利用して質問器アンテナのグランドと熱シールドケースの放熱を行なうことができるものであり、従って、質問器アンテナのグランドのための部材や熱シールドケースの放熱のための部材を別途ケースに内蔵させる必要がなくなって、質問器の小型化，薄型化，軽量化を図ることができるものである。
【００４０】
また本発明の請求項２の発明は、質問器アンテナとしてパッチアンテナを用いたので、質問器アンテナとしてヘリカルアンテナを用いるよりも質問器の薄型化することができるものである。
【００４２】
また本発明の請求項３の発明は、応答器への識別データの書き込み動作や質問器での識別データの読み取り動作を発光することにより表示する発光体を質問器に設けたので、応答器や質問器の状態を視覚により容易に確認することができ、識別データの読み込み作業や書込み作業の不備を少なくすることができるものである。
【００４３】
また本発明の請求項４の発明は、応答器への識別データの書き込み動作や質問器での識別データの読み取り動作を音により表示するブザー機能を質問器に設けたので、応答器や質問器の状態を聴覚により容易に確認することができ、識別データの読み込み作業や書込み作業の不備を少なくすることができるものである。
【００４４】
また本発明の請求項５の発明は、応答器に書き込まれる識別データや質問器で読み取られた識別データを表示するための表示画面を質問器に設けたので、応答器に書き込まれる識別データの内容や質問器で読み込まれる識別データの内容を表示画面で容易に確認することができ、識別データの内容を確認しながら読み込み作業や書込み作業を行なうことができて作業の不備を少なくすることができるものである。
【図面の簡単な説明】
【図１】本発明の実施の形態の一例を示す（ａ）は斜視図、（ｂ）は断面図である。
【図２】同上のパッチアンテナを示す斜視図である。
【図３】同上の製造途中を示す斜視図である。
【図４】同上の他の実施の形態を示す製造途中の斜視図である。
【図５】同上の他の実施の形態の一例を示す斜視図である。
【図６】本発明及び従来例の応答器と質問器を示すブロック図である。
【図７】従来例を示す（ａ）は斜視図、（ｂ）は断面図である。
【符号の説明】
１  応答器
２  質問器
１０  パッチアンテナ
３８  質問器アンテナ
６０  制御基板
６５  ケース
６６  アンテナ補強材
６７  熱シールドケース
６８  発光体
６９  ブザー機能
９０  表示画面
【図１】
0003927315.tif 000002
【図２】
0003927315.tif 000003
【図３】
0003927315.tif 000004
【図４】
0003927315.tif 000005
【図５】
0003927315.tif 000006
【図６】
0003927315.tif 000007
【図７】
0003927315.tif 000008